(57)【要約】【課題】拠点に応じた消費電力抑制の施策を画面に表示することを目的とする。【解決手段】施策表示システムは、画面に表示される拠点の消費電力状況を示すグラフに、前記拠点を特定するシンボルを作成する作成部、を備えるクライアントと、前記クライアントから受信した指定されたシンボルで特定される拠点の情報に基づいて、前記指定されたシンボルで特定される拠点が自身の拠点であるか否か、および前記指定されたシンボルで特定される拠点の消費電力状況に基づいて、消費電力抑制の施策を抽出する抽出部、を備えるサーバと、を備え、前記クライアントは、前記抽出部が抽出した前記施策を前記画面に表示する制御部、を備える。【選択図】図１２
2015176368.tif 000002
【特許請求の範囲】
【請求項１】
複数の拠点の消費電力状況を示すグラフに前記複数の拠点をそれぞれ特定する複数のシンボルを画面に表示し、
前記複数のシンボルのうち、指定されたシンボルで特定された拠点が自身の拠点であるか否か、および前記指定されたシンボルで特定された拠点の消費電力状況に基づいて、前記画面に表示する消費電力抑制の施策の内容を異ならせる、
施策表示方法。
【請求項２】
前記指定されたシンボルで特定された拠点が前記自身の拠点であるときには、前記自身の拠点が未実施の施策を前記画面に表示し、前記指定されたプロットが前記自身の拠点以外の他の拠点であるときには、前記他の拠点が実施している施策を前記画面に表示する、
請求項１記載の施策表示方法。
【請求項３】
前記指定されたシンボルで特定された拠点が前記自身の拠点であるときに、前記自身の拠点の原単位が平均以下の場合には、難易度が最も高い施策を前記画面に表示し、前記自身の拠点の原単位が平均を超過している場合には、難易度が最も低い施策を前記画面に表示する、
請求項２記載の施策表示方法。
【請求項４】
前記指定されたシンボルで特定された拠点が前記他の拠点であるときに、前記他の拠点の原単位が平均以下であり、且つ前記自身の拠点の原単位が平均以下であるとき、または前記他の拠点の原単位が平均を超過しており、且つ前記自身の拠点の原単位が平均を超過しているときには、前記自身の拠点が未実施で、かつ、前記他の拠点が実施している施策のうち、難易度が最も低い施策を画面に表示し、
前記指定されたシンボルで特定された拠点が前記他の拠点であるときに、前記他の拠点の原単位が平均以下であり、且つ前記自身の拠点の原単位が平均を超過しているとき、または前記他の拠点の原単位が平均を超過しており、且つ前記自身の拠点の原単位が平均以下のときには、前記自身の拠点が未実施で、かつ、前記他の拠点が実施している施策のうち、難易度が最も高い施策を画面に表示する、
請求項２記載の施策表示方法。
【請求項５】
前記画面に表示される前記シンボルは前記自身の拠点と同じ属性を持つ拠点のシンボルである、
請求項１乃至４のうち何れか１項に記載の施策表示方法。
【請求項６】
前記画面に表示される前記シンボルのうち、前記自身の拠点のシンボルを前記自身の拠点以外の拠点のシンボルと異なる態様で表示する、
請求項１乃至５のうち何れか１項に記載の施策表示方法。
【請求項７】
複数の拠点の消費電力状況を示すグラフに前記複数の拠点をそれぞれ特定する複数のシンボルを画面に表示し、
前記複数のシンボルのうち、指定されたシンボルで特定された拠点が自身の拠点であるか否か、および前記指定されたシンボルで特定された拠点の消費電力状況に基づいて、前記画面に表示する消費電力抑制の施策の内容を異ならせる、
処理をコンピュータに実行させる施策表示プログラム。
【請求項８】
複数の拠点の消費電力状況を示すグラフに表示する前記複数の拠点をそれぞれ特定する複数のシンボルを作成する作成部と、
前記複数のシンボルのうち、指定されたシンボルで特定された拠点が自身の拠点であるか否か、および前記指定されたシンボルで特定された拠点の消費電力状況に基づいて、表示部の画面に表示する消費電力抑制の施策の内容を異ならせる制御を行う制御部と、
を備える施策表示装置。
【請求項９】
複数の拠点の消費電力状況を示すグラフに表示する前記複数の拠点をそれぞれ特定する複数のシンボルを作成する作成部、を備えるクライアントと、
前記クライアントから受信した指定されたシンボルで特定された拠点の情報に基づいて、前記指定されたシンボルで特定された拠点が自身の拠点であるか否か、および前記指定されたシンボルで特定された拠点の消費電力状況に基づいて、消費電力抑制の施策を抽出する抽出部、を備えるサーバと、
を備え、
前記クライアントは、
前記抽出部が抽出した前記施策を表示部の画面に表示する制御部、
を備える施策表示システム。
【発明の詳細な説明】
【技術分野】
【０００１】
本発明は、施策表示方法、施策表示プログラム、施策表示装置および施策表示システムに関する。
【背景技術】
【０００２】
オフィスやビル、店舗、工場等の拠点の消費電力を抑制するための種々の施策がある。拠点に在勤している管理者は、拠点に備えられている端末を用いて、消費電力を抑制する施策を認識することができる。関連する技術として、優先的にエネルギー削減施策を施すべき建造物の判断を行う技術が提案されている（例えば、特許文献１参照）。
【先行技術文献】
【特許文献】
【０００３】
【特許文献１】特開２０１１−０４３９５８号公報
【発明の概要】
【発明が解決しようとする課題】
【０００４】
拠点の消費電力を抑制する施策は多くの種類が存在する。拠点の消費電力状況によって、多種類の施策のうち実施することが好ましい施策は変化する。このため、管理者は、端末の画面に多種類の施策が表示されているときに、何れの施策が拠点の消費電力状況に応じた施策であるかを特定することが難しい。
【０００５】
１つの側面では、拠点に応じた消費電力抑制の施策を画面に表示することを目的とする。
【課題を解決するための手段】
【０００６】
１つの態様では、施策表示方法は、複数の拠点の消費電力状況を示すグラフに前記複数の拠点をそれぞれ特定するシンボルを画面に表示し、前記複数のシンボルのうち、指定されたシンボルで特定される拠点が自身の拠点であるか否か、および前記指定されたシンボルで特定される拠点の消費電力状況に基づいて、前記画面に表示する消費電力抑制の施策の内容を異ならせる。
【０００７】
また、別の態様では、施策表示プログラムは、複数の拠点の消費電力状況を示すグラフに前記複数の拠点をそれぞれ特定する複数のシンボルを画面に表示し、前記複数のシンボルのうち、指定されたシンボルで特定された拠点が自身の拠点であるか否か、および前記指定されたシンボルで特定された拠点の消費電力状況に基づいて、前記画面に表示する消費電力抑制の施策の内容を異ならせる、処理をコンピュータに実行させる。
【０００８】
また、別の態様では、施策表示装置は、複数の拠点の消費電力状況を示すグラフに表示する前記複数の拠点をそれぞれ特定する複数のシンボルを作成する作成部と、前記複数のシンボルのうち、指定されたシンボルで特定された拠点が自身の拠点であるか否か、および前記指定されたシンボルで特定された拠点の消費電力状況に基づいて、表示部の画面に表示する消費電力抑制の施策の内容を異ならせる制御を行う制御部と、を備える。
【０００９】
また、別の態様では、施策表示システムは、複数の拠点の消費電力状況を示すグラフに表示する前記複数の拠点をそれぞれ特定する複数のシンボルを作成する作成部、を備えるクライアントと、前記クライアントから受信した指定されたシンボルで特定された拠点の情報に基づいて、前記指定されたシンボルで特定された拠点が自身の拠点であるか否か、および前記指定されたシンボルで特定された拠点の消費電力状況に基づいて、消費電力抑制の施策を抽出する抽出部、を備えるサーバと、を備え、前記クライアントは、前記抽出部が抽出した前記施策を表示部の画面に表示する制御部、を備える。
【発明の効果】
【００１０】
１つの側面として、拠点に応じた消費電力抑制の施策を画面に表示することができる。
【図面の簡単な説明】
【００１１】
【図１】施策表示システムの一例を示す図である。
【図２】拠点の一例を示すブロック図である。
【図３】施策表示装置の一例を示すブロック図である。
【図４】サーバの一例を示すブロック図である。
【図５】拠点情報のデータ構造の一例を示す図である。
【図６】全拠点電力情報のデータ構造の一例を示す図である。
【図７】拠点別電力情報のデータ構造の一例を示す図である。
【図８】管理者情報のデータ構造の一例を示す図である。
【図９】施策実施情報のデータ構造の一例を示す図である。
【図１０】施策難易度情報のデータ構造の一例を示す図である。
【図１１】難易度を判断するときの判断基準の一例を示す図である。
【図１２】施策を抽出するときの判断基準の一例を示す図である。
【図１３】実施形態の処理の流れの一例を示すフローチャート（その１）である。
【図１４】実施形態の処理の流れの一例を示すフローチャート（その２）である。
【図１５】施策情報抽出処理の一例を示すフローチャート（その１）である。
【図１６】施策情報抽出処理の一例を示すフローチャート（その２）である。
【図１７】プロット表示された画面例（その１）である。
【図１８】プロット表示された画面例（その２）である。
【図１９】プロット表示された画面例（その３）である。
【図２０】プロット表示された画面例（その４）である。
【図２１】第１の具体例を説明する図である。
【図２２】第２の具体例を説明する図である。
【図２３】第３の具体例を説明する図である。
【図２４】第４の具体例を説明する図である。
【図２５】第５の具体例を説明する図である。
【図２６】第６の具体例を説明する図である。
【図２７】施策表示装置のハードウェア構成の一例を示す図である。
【図２８】サーバのハードウェア構成の一例を示す図である。
【発明を実施するための形態】
【００１２】
＜施策表示システムの全体構成の一例＞
以下、図面を参照して、実施形態について説明する。図１は、施策表示システムの一例を示している。一例として示す施策表示システム１は、複数の拠点２（店舗２Ａ、店舗２Ｂ、ビル２Ｃ、工場２Ｄ等）に備えられる通信機器とサーバ３とがネットワーク４を介して通信可能になっている。
【００１３】
拠点としては、例えば建物がある。拠点は、建物全体を示す場合もある。例えば、拠点が「工場」の場合は、拠点は工場の建物全体を示す。また、拠点は、建物の一部を示す場合がある。例えば、拠点が「テナント」の場合には、拠点は、ビル（建物）のうちの一部のフロアになることもあり、１つのフロアのうちの一部のエリアになることもある。
【００１４】
店舗２Ａ、２Ｂとしては、例えば、飲食店や書店、量販店、コンビニエンスストア等がある。ビル２Ｃとしては、例えばオフィスがある。これらの拠点２はサーバ３と通信する通信機器を備えている。拠点２は、ネットワーク４にデータを送信し、ネットワーク４からデータを受信する。
【００１５】
図１の例では、ネットワーク４はクラウドネットワークを想定している。ただし、ネットワーク４はクラウドネットワークには限定されない。サーバ３は、ネットワーク４から送信される情報を処理し、処理した情報をネットワーク４に送信する。拠点２は、ネットワーク４を介して、サーバ３から情報を受信する。
【００１６】
＜拠点の構成の一例＞
図２は、拠点２の一例を示している。一例として示す拠点２は、施策表示装置１０と照明器具１１と空調装置１２と分電盤１３と電力メータ１４と電力監視装置１５とスイッチングハブ１６とゲートウェイ装置１７とを備えている。
【００１７】
施策表示装置１０は、消費電力を抑制する施策を表示する装置である。施策表示装置１０は、クライアントの一例である。詳細については後述する。照明器具１１は、例えば蛍光灯や白熱灯、ＬＥＤ照明等である。
【００１８】
空調装置１２は、例えばエアコンディショナー等である。分電盤１３は、例えば拠点２の屋内の配線において幹線する装置である。電力メータ１４は、例えば使用している機器の消費電力を測定する機器である。
【００１９】
電力監視装置１５は、照明器具１１や空調装置１２、分電盤１３、電力メータ１４等から消費電力を監視する。電力監視装置１５は、電力を使用する機器ごと（例えば照明器具１１等）に個別的な消費電力を監視することができる。
【００２０】
例えば、オフィスであれば、パソコンやＬＣＤ（Liquid Crystal Display）、プリンタ等がある。電力監視装置１５は、これらの装置を個別的に監視することができる。電力監視装置１５は、スイッチングハブ１６を経由して、監視している消費電力の情報をゲートウェイ装置１７に出力する。以下、電力監視装置１５が監視している情報を消費電力情報と称する。
【００２１】
ゲートウェイ装置１７は、ネットワーク４に消費電力情報を送信する。図２の一例に示すように、施策表示装置１０およびゲートウェイ装置１７は、ネットワーク４と通信可能な装置である。施策表示装置１０およびゲートウェイ装置１７は、拠点２に備えられる通信機器の一例である。
【００２２】
＜施策表示装置の構成の一例＞
図３は、施策表示装置の一例を示している。一例として示す施策表示装置１０は、端末２１と表示部２２と入力部２３とを備えている。端末２１は、例えばコンピュータである。表示部２２は、例えばディスプレイであり、画面を有する。表示部２２は端末２１と接続されており、端末２１の制御により画面に所定の情報が表示される。
【００２３】
入力部２３は、例えばキーボードやマウス等の入力デバイスである。入力部２３は、端末２１に接続される。拠点２に管理者が在勤している場合には、管理者は入力部２３を用いて、端末２１を操作することができる。なお、表示部２２はタッチパネルディスプレイであってもよい。この場合、入力部２３は不要である。
【００２４】
端末２１は、認証部２４と端末通信部２５とプロット作成部２６と画面制御部２７と属性認識部２８とを備える。認証部２４は、管理者の認証を行う。認証部２４による認証が成功すると、管理者は端末２１にログインすることができる。
【００２５】
端末通信部２５は、ネットワーク４と通信を行う。プロット作成部２６は、端末通信部２５が受信した情報に基づいて、表示部２２に表示されるグラフのプロットを作成する。プロット作成部２６は、作成部の一例である。また、プロットは、シンボルの一例である。画面制御部２７は、表示部２２に表示される画面の制御を行う。画面制御部２７は、制御部の一例である。
【００２６】
画面制御部２７が作成するグラフは、複数の拠点２の消費電力状況を示すグラフである。このグラフの中に、プロット作成部２６が作成したプロットが表示される。グラフ中に表示される各プロットは、それぞれ拠点２を特定する。
【００２７】
属性認識部２８は、指定された属性を認識する。例えば、属性の指定は、管理者が行う。属性は、拠点２の属性であり、例えば、延床面積（例えば、単位はｍ２）や人数、拠点種別、勤務時間等が拠点２の属性である。
【００２８】
実施形態では、属性は拠点種別であるものとするが、属性は拠点種別には限定されない。管理者は、入力部２３を用いて、表示部２２に表示されている画面により、属性を指定することができる。
【００２９】
＜サーバの構成の一例＞
図４は、サーバ３の一例を示している。サーバ３は、複数の拠点２の消費電力状況を統合管理するコンピュータである。例えば、サーバ３は、管理センター等に設置され、統合管理者がサーバ３を用いて、複数の拠点２の消費電力状況を管理する。
【００３０】
図４に一例として示すサーバ３は、サーバ通信部３１と情報処理部３２と拠点情報記憶部３３と全拠点電力情報記憶部３４と拠点別電力情報記憶部３５と管理者情報記憶部３６と施策実施情報記憶部３７と施策難易度情報記憶部３８と施策情報抽出部３９とを備えている。
【００３１】
サーバ通信部３１は、ネットワーク４を介して、各拠点２の端末通信部２５と通信を行う。情報処理部３２は、図４に示す各記憶部から情報を読み出す。また、情報処理部３２は、読み出した情報を処理する。また、情報処理部３２は、各記憶部に対して情報の書き込み等を行う。
【００３２】
拠点情報記憶部３３は、拠点に関する情報を記憶する。以下、当該拠点に関する情報を拠点情報と称する。図５は、拠点情報の一例を示している。図５に一例として示す拠点情報は、拠点ＩＤ、拠点名、所在地、延床面積、契約電力、拠点種別、勤務時間、休み時間、プリンタ有無およびパソコン・ＬＣＤの項目を有している。
【００３３】
拠点ＩＤは、拠点２ごとに付与される識別子である。拠点名は、拠点２の名称である。所在地は、拠点２の所在地である。延床面積は、拠点２の延床面積である。契約電力は、拠点２が契約している電力である。
【００３４】
図５の例では、拠点種別が建物２の属性を示している。上述したように、拠点種別だけでなく、延床面積や人数、勤務時間等を属性としてもよい。図５の一例に示すように、拠点種別としては、オフィスやコンビニエンスストア（以下、コンビニと称する）、居酒屋等がある。拠点種別としては、他に例えば工場等もある。
【００３５】
勤務時間は、拠点２で定められる勤務時間を示す。休み時間は、拠点２で定められる休み時間を示す。プリンタ有無は、拠点２にプリンタが備えられているか否かを示す。パソコン・ＬＣＤは、拠点２にパソコンやＬＣＤが備えられているか否かを示す。これらの拠点情報の各項目の情報は、予め認識することができる。よって、拠点情報記憶部３３には予め情報が記憶されている。
【００３６】
図４に示す全拠点電力情報記憶部３４は、サーバ４が管理する全ての拠点２の電力に関する情報を記憶する。以下、全拠点電力情報記憶部３４が記憶する情報を全拠点電力情報と称する。図６は、全拠点電力情報の一例を示す。
【００３７】
図６に一例として示す全拠点電力情報は、サーバ４が管理する全ての拠点２の１時間ごとの全体の消費電力および照明器具１１の消費電力を示している。また、全拠点電力情報は、拠点２ごとに、全体の消費電力および照明器具１１の２４時間（１日）の消費電力の合計を示している。なお、全拠点電力情報記憶部３４は、１時間ごとの消費電力の情報を記憶しているが、任意の時間ごとの消費電力の情報を記憶してもよい。
【００３８】
全拠点電力情報の消費電力の情報は、図２に一例として示した電力監視装置１５から得ることができる。電力監視装置１５は、拠点２の消費電力を監視しており、スイッチングハブ１６およびゲートウェイ装置１７を介して、消費電力情報をネットワーク４に送信する。そして、消費電力情報は、サーバ通信部３１が受信する。
【００３９】
電力監視装置１５は、１時間ごとの拠点２の全体の消費電力および照明器具１１の消費電力の情報をゲートウェイ装置１７に出力する。ゲートウェイ装置１７は、消費電力情報に全体および照明器具１１の消費電力の情報を含めて、１時間ごとに消費電力情報をサーバ４に送信する。サーバ通信部３１が消費電力情報を受信することで、全拠点電力情報記憶部３４は、全拠点電力情報を蓄積して記憶することができる。
【００４０】
図４に示す拠点別電力情報記憶部３５は、サーバ４が管理する複数の拠点２ごとの電力情報を記憶する。以下、拠点別電力情報記憶部３５が記憶する情報を拠点別電力情報と称する。図７は、拠点別電力情報の一例を示す。
【００４１】
図７に一例として示す拠点別電力情報は、拠点２ごとの延床面積、１日の消費電力の合計および原単位を示す情報である。情報処理部３２は、拠点情報記憶部３３に記憶されている拠点情報に基づいて、拠点ＩＤに対応する延床面積の情報を取得する。また、情報処理部３２は、全拠点電力情報記憶部３４に記憶されている全拠点電力情報に基づいて、拠点ＩＤに対応する１日の消費電力の情報を取得する。以下、１日の消費電力の情報を、消費電力合計と称する。
【００４２】
情報処理部３２は、取得した延床面積および消費電力合計の情報を拠点ＩＤごとに拠点別電力情報記憶部３５に記憶する。また、情報処理部３２は、延床面積を消費電力合計で除算する。実施形態では、この除算した値が原単位となる。原単位は、原単位延床面積と称されることもある。
【００４３】
原単位は、１ｍ２あたりの１日の消費電力を示している。原単位は、消費電力効率と相関関係にある。原単位の値が低い場合には、消費電力効率が良いことを示す。この場合、省エネルギー効果が高いことになる。一方、原単位の値が高い場合には、消費電力効率が低いことを示す。この場合、省エネルギー効果が低いことになる。
【００４４】
図７の一例では、拠点ＩＤが「Ｔ０００１」の拠点２の原単位は高くなっている。従って、当該拠点２の消費電力効率は良好ではない。一方、拠点ＩＤが「Ｔ０００４」の拠点２の原単位は低くなっている。従って、当該拠点２の消費電力効率は良好である。
【００４５】
図４に示す管理者情報記憶部３６は、サーバ４が管理する全ての拠点２の管理者の情報を記憶する。以下、管理者情報記憶部３６が記憶する情報を管理者情報と称する。図８は、管理者情報の一例を示す。
【００４６】
管理者情報は、管理者ＩＤ、管理者および拠点ＩＤの項目を有する情報である。管理者ＩＤは、拠点２の管理者を特定する識別子である。管理者は、管理者ＩＤで特定される管理者の名称である。拠点ＩＤは、管理者ＩＤで特定される管理者が在勤する拠点２の識別子である。
【００４７】
図８の一例では、管理者ＩＤと拠点ＩＤとが１対１の対応関係になっているが、管理者ＩＤと拠点ＩＤとの関係は１対１でなくてもよい。例えば、管理者ＩＤで特定される１人の管理者が複数の拠点２の管理者であってもよいし、拠点ＩＤで特定される１つの拠点２に複数の管理者が在勤してもよい。
【００４８】
図４に示す施策実施情報記憶部３７は、サーバ４が管理する各拠点２の消費電力抑制の施策の実施状況を示す情報である。以下、施策実施情報記憶部３７が記憶する情報を施策実施情報と称する。施策は、消費電力抑制の施策であり、省エネルギーのための施策である。以下、施策を省エネ施策と称することもある。
【００４９】
図９は、施策実施情報の一例を示す。図９の施策実施情報は、省エネＩＤ、省エネ施策および各拠点ＩＤの項目を有している。省エネＩＤは、省エネ施策を特定する識別子である。省エネ施策ごとに省エネＩＤが付与される。
【００５０】
図９では、「昼休みの照明の一斉消灯」や「夜間のプリンタ電源ＯＦＦ」、「帰宅時にパソコン・ＬＣＤをＯＦＦしている」、「夜間の照明ＯＦＦ」、「定時退社日の夜間の空調ＯＦＦ」等が省エネ施策の一例として示されている。
【００５１】
施策実施情報は、これらの省エネ施策ごとに各拠点２が施策を実施しているか否かを含んでいる。図９の一例において、「○」と示されているのは、省エネＩＤで特定される省エネ施策を実施していることを示している。「×」と示されているのは、省エネＩＤで特定される省エネ施策が未実施であることを示している。
【００５２】
情報処理部３２は、省エネＩＤで特定される省エネ施策が、拠点ＩＤで特定される拠点２で実施されているか否かを判定する。例えば、省エネＩＤが「Ｓ００１」の省エネ施策は「昼休みの照明の一斉消灯」である。
【００５３】
情報処理部３２は、全拠点電力情報記憶部３４に記憶されている全拠点電力情報を参照して、「１２時から１３時」の時間帯の照明の消費電力の情報を取得する。また、情報処理部３２は、拠点情報記憶部３３の拠点情報の延床面積の情報を取得する。
【００５４】
情報処理部３２は、延床面積に対する消費電力の値が予め設定された閾値以下のときに、「昼休みの照明の一斉消灯」が実施されていることを認識することができる。一方、情報処理部３２は、延床面積に対する消費電力の値が上記の閾値を超過しているときに、「昼休みの照明の一斉消灯」が未実施であることを認識することができる。上記の閾値は任意に設定することができる。
【００５５】
例えば、図６の全拠点電力情報の拠点ＩＤが「Ｔ０００１」の「１２時から１３時」の照明の消費電力は「５」である。また、図５の拠点情報の拠点ＩＤが「Ｔ０００１」の延床面積は「１０００ｍ２」である。この場合、延床面積に対する消費電力の値は、「０．００５（＝５／１０００）」である。
【００５６】
一方、図６の全拠点電力情報の拠点ＩＤが「Ｔ０００４」の「１２時から１３時」の照明の消費電力は「７０」である。一方、図５の拠点情報の拠点ＩＤが「Ｔ０００４」の延床面積は「３０００ｍ２」である。例えば、延床面積に対する消費電力の値は「０．０２３」である。
【００５７】
例えば、上記の閾値が「０．０１」に設定されているとする。この場合、拠点ＩＤが「Ｔ０００１」の拠点２は「昼休みの照明の一斉消灯」の施策を実施していることを、情報処理部３２は認識できる。一方、拠点ＩＤが「Ｔ０００４」の拠点２は「昼休みも照明の一斉消灯」の施策が未実施であることを、情報処理部３２は認識できる。
【００５８】
情報処理部３２は、省エネＩＤごとの省エネ施策が各拠点２で実施されているか否かを判定する。情報処理部３２は、判定した結果を施策実施情報記憶部３７の施策実施情報に反映させる。省エネＩＤが「Ｓ００２」や「Ｓ００３」等の他の省エネ施策も同様の処理が行われて、施策実施情報に反映される。
【００５９】
施策難易度情報記憶部３８は、施策の難易度を記憶する。以下、施策難易度情報記憶部３８が記憶する情報を施策難易度情報と称する。図１０は、施策難易度情報の一例である。図１０の施策難易度情報は、省エネＩＤ、省エネ施策、実施拠点数、実施率および難易度の項目を有している。
【００６０】
施策難易度情報記憶部３８は、拠点２の属性ごとに施策難易度情報を記憶する。図５の一例で示した拠点情報は属性として拠点種別の項目を含んでいる。図５の例では、拠点種別は、「オフィス」、「コンビニ」および「居酒屋」がある。
【００６１】
この場合、属性ごとに施策難易度情報が施策難易度情報記憶部３８に記憶されるため、３つの施策難易度情報が施策難易度情報記憶部３８に記憶される。もちろん、他の属性があれば、属性の数に応じた施策難易度情報が施策難易度情報記憶部３８に記憶される。
【００６２】
施策難易度情報のうち、実施拠点数は、省エネＩＤで特定される施策を実施している拠点２の数を示している。情報処理部３２は、施策実施情報記憶部３７の施策実施情報を参照して、省エネＩＤごとに省エネ施策を実施している拠点２の情報を取得する。また、情報処理部３２は、拠点情報記憶部３３の拠点情報に含まれる属性の情報を取得する。
【００６３】
情報処理部３２は、属性ごとに、省エネＩＤで特定される施策を実施している拠点２の数を取得する。この数が「実施拠点数」になる。また、情報処理部３２は、省エネ施策の実施有無にかかわらず、拠点情報記憶部３３に記憶されている拠点情報に基づいて、同じ属性の拠点２の全数を取得する。
【００６４】
従って、情報処理部３２は、属性ごとに「実施拠点数」を取得する。また、情報処理部３２は、属性ごとに拠点２の全数を取得する。従って、情報処理部３２は、属性ごとに、「実施拠点数」および「拠点２の全数」を取得する。
【００６５】
図１０に一例として示す実施拠点数の項目は、同じ属性について、省エネＩＤで特定される省エネ施策の「実施拠点数／拠点２の全数」を示している。例えば、省エネＩＤが「Ｓ００１」の実施拠点数は「２８件」であり、同じ属性の拠点２の全数は「全３５件」である。
【００６６】
実施率は、実施拠点数を拠点２の全数で除算した値になる。例えば、省エネＩＤが「Ｓ００１」の実施率は「８０％（＝２８／３５）」になる。情報処理部３２は実施率の演算を行い、演算した実施率を、省エネＩＤごとに施策難易度情報記憶部３８に記憶する。
【００６７】
難易度は、施策を実施する難易度を示す。情報処理部３２は、実施率に基づいて、難易度の判定を行う。実施率が高い施策ほど難易度が低く、実施率が低い施策ほど難易度が高い。実施率が「１００％」になると、最も難易度が低くなる。
【００６８】
図１０の例では、難易度は「高」、「中」、「低」の３段階を示している。ただし、難易度は３段階には限定されない。難易度は２段階であってもよいし、４段階以上であってもよい。また、難易度は段階別に分類されなくてもよい。この場合、難易度は、実施率の数値とすることができる。
【００６９】
図１１は、情報処理部３２が難易度を判断するときの判断基準の一例を示している。例えば、実施率が「８０％以上」の場合は、同じ属性の多くの拠点２が省エネ施策を実施している。この場合、情報処理部３２は、難易度を「低」と判定する。
【００７０】
同様に、実施率が「８０％未満、且つ６０％以上」の場合には、情報処理部３２は、難易度を「中」と判定する。また、実施率が「６０％未満」の場合には、省エネ施策を実施していない拠点２が多いため、情報処理部３２は、難易度を「高」と判定する。
【００７１】
例えば、図１０に一例として示す施策難易度情報のうち、省エネＩＤが「Ｓ００４」、つまり「夜間の照明ＯＦＦ」については、取り組みやすい省エネ施策である。よって、実施率が高く、難易度は「低」となる。一方、省エネＩＤが「Ｓ００５」、つまり「定時退社日の夜間の空調ＯＦＦ」については、取り組みが難しい省エネ施策である。よって、実施率が低く、難易度は「高」になる。
【００７２】
施策情報抽出部３９は、施策実施情報記憶部３７と施策難易度情報記憶部３８とに基づいて、拠点２の消費電力状況に応じた施策を抽出する。施策情報抽出部３９は、抽出部の一例である。図１２は、施策情報抽出部３９が施策を抽出するときの判断基準を示している。詳細については後述する。
【００７３】
上述した拠点情報記憶部３３から施策難易度情報記憶部３８は、情報をテーブル形式で記憶するデータベースとしてもよい。上述した拠点情報記憶部３３から施策難易度情報記憶部３８は一例であり、各記憶部は他の情報を記憶してもよいし、一部の情報を省略してもよい。
【００７４】
＜施策表示処理の一例＞
次に、図１３乃至図１６のフローチャートを参照して、施策表示処理の一例について説明する。図５に一例として示した拠点情報は、拠点情報記憶部３３に予め記憶されている。また、図８に一例として示した管理者情報は、管理者情報記憶部３６に予め記憶されている。
【００７５】
図１３に一例として示すフローチャートを参照して、施策表示処理を説明する。上述したように、拠点２は電力監視装置１５を備えている。電力監視装置１５は、各装置の消費電力を監視し、消費電力情報を収集する（ステップＳ１）。電力監視装置１５が収集した消費電力情報は、スイッチングハブ１６およびゲートウェイ装置１７を介して、ネットワーク４に送信される（ステップＳ２）。
【００７６】
消費電力情報は、ネットワーク４を経由して、サーバ３に送信され、サーバ３のサーバ通信部３１が消費電力情報を受信する。サーバ３は、管理する各拠点２から消費電力情報を受信する。これにより、サーバ３は、各拠点２の消費電力情報を収集することができる。
【００７７】
サーバ３の情報処理部３２は、各拠点２から収集した消費電力情報に基づいて、全拠点電力情報を全拠点電力情報記憶部３４に記憶する（ステップＳ３）。各拠点２の電力監視装置１５は、拠点２の１時間ごとの消費電力の合計および照明器具１１の消費電力の情報を含めた消費電力情報を、スイッチングハブ１６を介して、ゲートウェイ装置１７に出力する。ゲートウェイ装置１７は、１時間ごとに、消費電力情報をネットワーク４に送信する。
【００７８】
サーバ４のサーバ通信部３１は各拠点２から消費電力情報を受信する。情報処理部３２は、各拠点２から受信した消費電力情報に基づいて、１時間ごとの全体および照明の消費電力を、拠点２ごとに全拠点電力情報記憶部３４に記憶する。情報処理部３２は、２４時間（１日）が経過したときに、拠点２ごとの１日の消費電力を合計し、合計値を全拠点電力情報記憶部３４に記憶する。
【００７９】
なお、各拠点２のゲートウェイ装置１７が送信する消費電力情報には、拠点２を特定する拠点ＩＤが含まれてもよい。これにより、情報処理部３２は、拠点２ごとに、１時間ごとの全体および照明の消費電力を全拠点電力情報記憶部３４に記憶することができる。
【００８０】
情報処理部３２は、全拠点電力情報記憶部３４から、拠点ＩＤごとに、消費電力（全体）の合計値（消費電力合計）を取得する。また、情報処理部３２は、拠点情報記憶部３３から、拠点ＩＤごとに延床面積の情報を取得する。
【００８１】
そして、情報処理部３２は、消費電力合計を延床面積で除算することにより、原単位を演算する。情報処理部３２は、演算した原単位を拠点ＩＤごとに拠点別電力情報記憶部３５に記憶する（ステップＳ４）。
【００８２】
情報処理部３２は、上述したように、省エネＩＤごとに、各拠点２が省エネ施策を実施しているか否かを判定する（ステップＳ５）。そして、情報処理部３２は、図９に一例として示す施策実施情報を施策実施情報記憶部３７に記憶する（ステップＳ６）。
【００８３】
情報処理部３２は、上述したように、同じ属性の拠点２について、省エネＩＤごとの実施率に基づいて、施策の難易度を判定する（ステップＳ７）。そして、情報処理部３２は判定した施策の難易度に関する施策難易度情報を施策難易度情報記憶部３８に記憶する（ステップＳ８）。
【００８４】
各拠点２のゲートウェイ装置１７は、定期的（例えば、１時間ごと）に拠点２の消費電力情報をネットワーク４に送信している。従って、サーバ３は、定期的に消費電力情報を受信する。サーバ３のうち、拠点情報記憶部３３および管理者情報記憶部３６に記憶されている内容は、消費電力情報によっては変化しない。
【００８５】
一方、全拠点電力情報記憶部３４、拠点別電力情報記憶部３５、施策実施情報記憶部３７および施策難易度情報記憶部３８に記憶されている情報は、消費電力情報によって、変化することがある。例えば、全拠点電力情報記憶部３４は、１時間ごとに送信される消費電力情報に基づいて、記憶している情報が更新される。
【００８６】
次に、図１４を参照して、施策表示装置１０の表示部２２の画面に施策を表示する処理の一例について説明する。拠点２に在勤する管理者は、施策表示装置１０を用いて、施策を表示部２２の画面に表示する操作を行う。拠点２は、サーバ３が管理する拠点２であれば、何れの拠点２であってもよい。
【００８７】
図３の一例に示すように、端末２１には入力部２３が接続されている。管理者は、入力部２３を操作して、端末２１にログインを行う（ステップＳ９）。ログインを行うための認証は認証部２４が行う。ログインが成功すると、認証部２４は、ログインした管理者の管理者ＩＤを認識する。
【００８８】
そして、端末通信部２５は、情報取得要求をサーバ３に対して送信する。情報取得要求には、管理者ＩＤの情報が含まれる。端末通信部２５が送信した情報取得要求は、ネットワーク４を経由して、サーバ通信部３１が受信する。
【００８９】
情報処理部３２は、管理者情報記憶部３６を参照して、情報取得要求に含まれる管理者ＩＤに基づいて、拠点ＩＤを特定する。なお、端末通信部２５が送信した情報取得要求に拠点ＩＤが含まれている場合は、情報処理部３２は、拠点ＩＤを特定する処理を行う必要がない。
【００９０】
情報処理部３２は、情報取得要求に基づいて、拠点別電力情報記憶部３５から拠点別電力情報を取得する。図７の一例に示すように、拠点別電力情報は、拠点ＩＤと延床面積と原単位との項目を含んでいる。情報処理部３２は、各拠点ＩＤの延床面積および原単位の情報を抽出する。情報処理部３２は、抽出した情報をサーバ通信部３１に出力し、サーバ通信部３１は、ネットワーク４に送信する。
【００９１】
サーバ通信部３１が送信する情報（上記の抽出した情報）は、拠点２が送信した情報取得要求に応答する情報になる。以下、情報取得要求を送信した拠点２に送信する情報を応答情報と称する。従って、上記の抽出した情報は、応答情報に含まれる。
【００９２】
拠点２の端末通信部２５は、ネットワーク４から応答情報を受信する。応答情報には、拠点２ごとの延床面積および原単位の情報が含まれる。プロット作成部２６は、この情報に基づいて、延床面積を横軸とし、原単位を縦軸としたときのグラフにおける各拠点２のプロットを作成する。
【００９３】
画面制御部２７は、プロット作成部２６が作成した各拠点２のプロットを示すグラフを表示部２２の画面に表示する制御を行う。このグラフは、各拠点２の消費電力状況を示す。実施形態では、画面制御部２７は、横軸を延床面積、縦軸を原単位として、各拠点２のプロットＰＬをグラフ形式で画面に表示する（ステップＳ１０）。図１７は、プロット表示された画面の一例を示している。なお、「ＰＬ」はプロットを示している。
【００９４】
図１７で一例として示す画面は、サーバ３が管理する全ての拠点２のプロットＰＬが表示されている。従って、多くのプロットＰＬが表示部２２の画面に表示される。画面制御部２７は、画面にメニューＭを表示する。メニューＭは、属性を選択するために画面に表示される。
【００９５】
図１７の一例では、メニューＭはプルダウンで属性を選択可能になっているが、プルダウン以外で属性を選択可能にしてもよい。図１７の一例では、選択可能な属性は、延床面積、人数、拠点種別および勤務時間になっている。選択可能な属性は、これら４種類には限定されない。
【００９６】
入力部２３がマウスの場合、管理者はマウスを操作して、マウスポインタＰを移動させ、メニューＭの中から属性を選択する。メニューＭの中でマウスポインタＰが示す属性が選択される。これにより、属性が指定される。実施形態では、属性は拠点種別が指定されるものとする。
【００９７】
図３に一例として示す端末２１の属性認識部２８は、指定された属性を認識する。実施形態では、属性認識部２８は、属性として拠点種別を認識する。そして、端末通信部２５は、指定された属性および自身の拠点２の拠点ＩＤの情報を含めた情報取得要求をネットワーク４に送信する。ネットワーク４に送信された情報取得要求は、サーバ３のサーバ通信部３１が受信する。
【００９８】
情報処理部３２は、情報取得要求に含まれている、自身の拠点２の拠点ＩＤおよび指定された属性を認識する。情報処理部３２は、拠点別電力情報記憶部３５に記憶されている拠点情報を参照し、情報取得要求に含まれている拠点ＩＤに対応する属性を認識する。
【００９９】
例えば、拠点ＩＤが「Ｔ０００１」である場合、指定された属性は「拠点種別」である。情報処理部３２は、図５に一例として示す拠点情報を参照して、拠点ＩＤが「Ｔ０００１」の拠点種別は「オフィス」であることを認識する。情報処理部３２は、拠点種別が「オフィス」の拠点ＩＤを取得する。つまり、情報処理部３２は、情報取得要求を送信した拠点２と同じ属性を持つ拠点２の拠点ＩＤを抽出する。
【０１００】
従って、情報取得要求を送信した拠点２と異なる属性を持つ拠点２は抽出対象とはならない。情報処理部３２は、拠点別電力情報記憶部３５を参照し、抽出した拠点ＩＤの延床面積および原単位の情報を取得する。つまり、情報処理部３２は、情報取得要求を送信した拠点２と同じ属性を持つ拠点２ごとに延床面積および原単位の情報を取得する。
【０１０１】
サーバ通信部３１は、情報処理部３２が取得した上記の延床面積および原単位の情報を含む応答情報を、ネットワーク４を経由して、情報取得要求を送信した拠点２に送信する。拠点２の端末通信部２５は、ネットワーク４から応答情報を受信する。
【０１０２】
応答情報に含まれる延床面積および原単位の情報は、自身の拠点２と同じ属性を持つ拠点２の情報に絞り込まれている。プロット作成部２６は、応答情報に含まれる拠点２の数の分だけプロットＰＬを作成する。画面制御部２７は、作成したプロットＰＬを画面表示する（ステップＳ１１）。
【０１０３】
図１８は、自身の拠点２と同じ属性を持つ拠点２のプロット表示の一例を示している。この例の属性は、拠点種別が「オフィス」の属性である。図１８のプロット表示の例は、自身の拠点２と同じ属性を持つ拠点２に絞り込まれている。つまり、拠点２はオフィスに絞り込まれている。従って、図１７の一例で示したプロット表示の画面よりも、プロットＰＬの数が少なくなっている。
【０１０４】
なお、図１７および図１８で一例として示すプロット表示の画面において、網掛けが施されているプロットＰＬは自身の拠点２のプロットＰＬであることを示す。画面には複数のプロットＰＬが表示されている。
【０１０５】
従って、複数のプロットＰＬのうち、何れのプロットＰＬが自身の拠点２のプロットＰＬであるかを特定することは難しい。そこで、自身の拠点２のプロットＰＬを他の拠点２のプロットＰＬと異なる表示態様にすることで、複数のプロットＰＬの中から自身のプロットＰＬを容易に識別可能になる。
【０１０６】
自身の拠点２のプロットＰＬの表示態様は、図１７および図１８のように網掛けでなくてもよい。例えば、表示態様として、色調を異ならせてもよいし、形状や大きさ等を異ならせてもよい。
【０１０７】
管理者は、複数のプロットＰＬの中から何れかのプロットＰＬを指定する。例えば、管理者は、マウスポインタＰを用いて、画面に表示されているプロットＰＬの中から所望のプロットＰＬを指定する。管理者は、自身の拠点２のプロットＰＬを指定することもでき、他の拠点２のプロットＰＬを指定することもできる。画面制御部２７は、指定されたプロットＰＬを認識する（ステップＳ１２）。
【０１０８】
このとき、図１７のように多数のプロットＰＬが画面に表示されていると、管理者は、プロットＰＬを選択することが難しくなる。そこで、図１８のように、自身の拠点２と同じ属性を持つ拠点２に絞り込むことで、プロットＰＬの数が少なくなる。これにより、管理者にとって画面の視認性が良好になる。
【０１０９】
プロットＰＬは、拠点２ごとに画面に表示されている。従って、プロットＰＬが指定されることにより、拠点２が指定される。端末通信部２５は、指定されたプロットＰＬの拠点ＩＤおよび自身の拠点２の拠点ＩＤを含めた情報取得要求を、ネットワーク４を経由して、サーバ３に送信する（ステップＳ１３）。
【０１１０】
サーバ通信部３１は、情報取得要求を受信する。施策情報抽出部３９は、情報取得要求に含まれる、指定されたプロットＰＬの拠点ＩＤおよび自身の拠点２の拠点ＩＤに基づいて、施策情報を抽出する（ステップＳ１４）。施策情報抽出部３９が抽出する施策情報は、情報取得要求を送信した拠点２に適した施策情報になる。施策情報を抽出する処理の詳細は、後述する。
【０１１１】
施策情報抽出部３９は、施策情報を抽出する。施策情報抽出部３９が抽出する施策情報は、１つであってもよいし、複数であってもよい。施策情報抽出部３９が複数の施策情報を抽出する場合には、施策情報抽出部３９は各施策情報のうち、情報取得要求を送信した拠点２が最も優先する施策情報を識別可能にする。このために、例えば、施策情報抽出部３９は、複数の施策情報に優先順位を付けてもよい。
【０１１２】
サーバ通信部３１は、施策情報抽出部３９が抽出した施策情報を送信する（ステップＳ１５）。実施形態では、サーバ通信部３１は、施策情報を応答情報に含めて、情報取得要求を送信した拠点２に応答情報を送信する。拠点２に備えられる端末２１の端末通信部２５は、応答情報を受信する。
【０１１３】
画面制御部２７は、応答情報に含まれる複数の施策情報のうち、自身の拠点２が最も優先する施策情報が強調されて表示部２２の画面に表示されるように処理を行う。画面制御部２７は、強調処理が行われた施策情報を表示部２２の画面に表示する（ステップＳ１６）。
【０１１４】
図１９は、施策情報を画面表示した一例を示している。実施形態では、施策情報を省エネガイダンスと称することもある。図１９の「Ｇ」は省エネガイダンスの一例である。図１９の例では、「定時退社日の夜間の空調をＯＦＦにしてください」という施策が強調表示されている。
【０１１５】
つまり、この施策が、自身の拠点２に応じた施策である。また、「昼休みの照明の一斉消灯を行ってください」という施策情報が応答情報に含まれている場合には、当該施策の表示も行う。ただし、当該施策は強調表示されない。
【０１１６】
図１７乃至図１９の画面例において、画面制御部２７は「平均」を表示している。これにより、平均より下にあるプロットＰＬは原単位が低い拠点２であることを示している。つまり、消費電力効率が良い拠点２であることを示している。一方、平均より上にあるプロットＰＬは原単位が高い拠点２であることを示している。つまり、消費電力効率が悪い拠点２であることを示している。
【０１１７】
原単位の平均は、サーバ３の情報処理部３２が演算してもよい。情報処理部３２は拠点別電力情報記憶部３５が記憶している拠点別電力情報の原単位を合計し、合計値を拠点数で除算することで、原単位の平均値を得ることができる。この平均値の情報を、サーバ通信部３１が拠点２の端末２１に送信することで、画面に「平均」を表示することができる。
【０１１８】
図１７の画面例では、拠点２の属性にかかわらず、サーバ３が管理する各拠点２のプロットＰＬが表示されている。この場合、情報処理部３２は、拠点別電力情報記憶部３５に記憶されている全ての拠点２についての原単位の平均値を演算し、サーバ通信部３１が当該平均値の情報を端末２１に送信する。
【０１１９】
一方、図１８および図１９の画面例は、自身の拠点２と同じ属性の拠点２に絞り込まれたプロットＰＬが表示されている。この場合、情報処理部３２は、拠点別電力情報記憶部３５に記憶されている拠点２の情報のうち、自身の拠点２と同じ属性の拠点２を抽出して、平均値を演算する。そして、サーバ通信部３１が当該平均値の情報を端末２１に送信する。
【０１２０】
図１７乃至図１９の画面例のグラフは、各拠点２の消費電力状況を示している。この点、消費電力状況を示すグラフであれば、横軸は延床面積、縦軸は原単位には限定されない。例えば、横軸は、人数や時間等であってもよい。
【０１２１】
また、縦軸は消費電力効率であってもよいし、図２０の画面例のように消費電力量であってもよい。図２０の画面例のように、横軸が延床面積、縦軸が消費電力量の場合は、平均の直線は横軸に平行ではなく、傾斜した直線になる。
【０１２２】
次に、図１４のフローチャートにおけるステップＳ１４の施策情報抽出処理について説明する。サーバ４の施策情報抽出部３９は、情報取得要求を送信した拠点２の原単位が平均以下か否かを判定する（ステップＳ２０）。情報取得要求を送信した拠点２は、自身の拠点２になる。
【０１２３】
ステップＳ２０で判定の基準となる「平均」は、情報取得要求を送信した拠点２と同じ属性を持つ拠点２の原単位の平均になる。施策情報抽出部３９は、情報取得要求に含まれる拠点が自身の拠点であるか否かを判定する（ステップＳ２１）。
【０１２４】
上述したように、情報取得要求には、情報取得要求を送信した拠点２（自身の拠点）の拠点ＩＤおよび指定されたプロットＰＬの拠点ＩＤが含まれている。指定されたプロットＰＬの拠点ＩＤと情報取得要求を送信した拠点２とが一致している場合、管理者は、自身の拠点２を選択したことになる。この場合、ステップＳ２１の判定はＹＥＳになる。
【０１２５】
ステップＳ２１の判定がＹＥＳの場合、施策情報抽出部３９は、施策実施情報記憶部３７および施策難易度情報記憶部３８を参照して、施策を抽出する。このとき、施策情報抽出部３９は、１）自身の拠点が未実施の施策、かつ、２）難易度が「高い」施策を抽出する（ステップＳ２２）。
【０１２６】
まず、施策情報抽出部３９は、施策実施情報記憶部３７が記憶している施策実施情報を参照する。施策情報抽出部３９は、自身の拠点、つまり情報取得要求を送信した拠点２の拠点ＩＤを認識している。施策情報抽出部３９は、図９の施策実施情報を参照して、拠点ＩＤの項目のうち未実施の施策の省エネＩＤを抽出する。
【０１２７】
次に、施策情報抽出部３９は、施策難易度情報記憶部３８に記憶されている施策難易度情報を参照する。図１０に示すように、施策難易度情報記憶部３８は、省エネＩＤごとに難易度を記憶している。施策情報抽出部３９は、上記で抽出した未実施の省エネＩＤのうち、難易度が最も高い省エネＩＤを抽出する。
【０１２８】
以上により、施策情報抽出部３９は、１）自身の拠点が未実施の施策、かつ、２）難易度が「高い」施策を抽出することができる。なお、施策情報抽出部３９が施策難易度情報から省エネＩＤを抽出するときに、難易度が同じ施策が複数存在する場合がある。例えば、抽出対象として、難易度が「中」の省エネＩＤが複数存在する場合がある。
【０１２９】
この場合、施策情報抽出部３９は、同じ難易度の省エネＩＤのうち、実施率が低い省エネＩＤを抽出する。実施形態では、難易度を「高」、「中」、「低」の３段階に分けているが、同じレベルの難易度であっても、難易度に差はある。難易度は、実施率に基づいて決定されるため、施策情報抽出部３９は、実施率に応じて施策を抽出する。
【０１３０】
次に、ステップＳ２１でＮＯと判定された場合について説明する。指定されたプロットＰＬの拠点ＩＤと情報取得要求を送信した拠点２とが一致していない場合、管理者は、自身の拠点２以外の拠点２を選択したことになる。この場合、ステップＳ２１の判定はＮＯになる。
【０１３１】
ステップＳ２１でＮＯと判定されると、施策情報抽出部３９は、指定された拠点の原単位が平均以下であるか否かを判定する（ステップＳ２３）。指定された拠点２は、指定されたプロットＰＬの拠点ＩＤの拠点２であり、施策情報抽出部３９は、図７の拠点別電力情報を参照して、指定された拠点２の原単位が平均以下であるか否かを判定する。
【０１３２】
ステップＳ２３でＹＥＳと判定された場合、つまり指定された拠点２の原単位が平均以下である場合、施策情報抽出部３９は、次の３つの条件を満たす施策を抽出する。施策情報抽出部３９は、１）自身の拠点が未実施であり、かつ、２）他の拠点が実施しており、かつ、３）難易度が低い、施策を抽出する。
【０１３３】
１）の自身の拠点は、情報取得要求を送信した拠点２であるため、情報取得要求に含まれる拠点ＩＤと図９の施策実施情報とに基づいて、施策情報抽出部３９は、情報取得要求を送信した自身の拠点２が未実施の施策の省エネＩＤを抽出する。
【０１３４】
２）の他の拠点は、指定されたプロットＰＬの拠点２である。指定されたプロットＰＬの拠点２は、情報取得要求を送信した拠点２とは異なる。施策情報抽出部３９は、情報取得要求に含まれる指定されたプロットＰＬの拠点ＩＤと図９の施策実施情報とに基づいて、指定されたプロットＰＬの拠点２が実施している施策の省エネＩＤを抽出する。
【０１３５】
そして、施策情報抽出部３９は、図１０の施策難易度情報のうち、１）および２）の２つの条件を満たす省エネＩＤのうち、難易度が最も低い施策を抽出する。以上により、施策情報抽出部３９は、上記３つの条件を満たす施策を抽出する（ステップＳ２４）。
【０１３６】
次に、ステップＳ２３でＮＯと判定された場合、つまり指定された拠点２の原単位が平均を超過している場合、施策情報抽出部３９は、次の３つの条件を満たす施策を抽出する。施策情報抽出部３９は、１）自身の拠点が未実施であり、かつ、２）他の拠点が実施しており、かつ、３）難易度が高い、施策を抽出する。
【０１３７】
１）および２）については、施策情報抽出部３９は、ステップＳ２４と同様の処理を行う。３）については、施策情報抽出部３９は、図１０の施策難易度情報を参照して、１）および２）の２つの条件を満たす省エネＩＤのうち、難易度が最も高い施策を抽出する。以上により、施策情報抽出部３９は、上記３つの条件を満たす施策を抽出する（ステップＳ２５）。
【０１３８】
次に、図１６を参照して、ステップＳ２０でＮＯと判定されたときの処理を説明する。ステップＳ２０でＮＯと判定されるのは、情報取得要求を送信した自身の拠点２の原単位が平均を超過している場合である。
【０１３９】
施策情報抽出部３９は、情報取得要求に含まれる指定されたプロットＰＬの拠点ＩＤの拠点２が自身の拠点であるか否かの判定を行う（ステップＳ２６）。この処理は、ステップＳ２１と同様である。
【０１４０】
ステップＳ２６でＹＥＳと判定された場合、施策情報抽出部３９は、１）自身の拠点が未実施の施策、かつ、２）難易度が低い、施策を抽出する（ステップＳ２７）。このうち、１）の条件を抽出する処理は、ステップＳ２２と同様である。そして、施策情報抽出部３９は、図１０の施策難易度情報を参照して、難易度が最も低い施策を抽出する。
【０１４１】
ステップＳ２６でＮＯと判定された場合、施策情報抽出部３９は、指定された拠点の原単位が平均以下であるか否かの判定を行う（ステップＳ２８）。この判定処理は、ステップＳ２３の判定処理と同じである。
【０１４２】
ステップＳ２８でＹＥＳと判定された場合、つまり指定されたプロットＰＬの拠点２の原単位が平均以下の場合、１）自身の拠点が未実施であり、かつ、２）他の拠点が実施しており、かつ、３）難易度が高い、施策を抽出する（ステップＳ２９）。
【０１４３】
１）および２）の条件を抽出する処理は、ステップＳ２５と同様である。また、１）および２）の２つの条件を満たす省エネＩＤのうち、難易度が最も高い施策を抽出する。以上により、施策情報抽出部３９は、上記３つの条件を満たす施策を抽出する。
【０１４４】
ステップＳ２８でＮＯと判定された場合、つまり指定されたプロットＰＬの拠点２の原単位が平均を超過している場合、１）自身の拠点が未実施であり、かつ、２）他の拠点が実施しており、かつ、３）難易度が低い、施策を抽出する（ステップＳ３０）。
【０１４５】
１）および２）の条件を抽出する処理は、ステップＳ２４と同様である。また、１）および２）の２つの条件を満たす省エネＩＤのうち、難易度が最も低い施策を抽出する。以上により、施策情報抽出部３９は、上記３つの条件を満たす施策を抽出する。
【０１４６】
従って、図１５および図１６の一例に示されるように、条件によって、施策情報抽出部３９は、６つのパターンに分けて、施策を抽出する。図１４の一例に示されるように、抽出された施策は、情報取得要求を送信した拠点２の端末２１に送信される。そして、端末２１に接続される表示部２２の画面に、抽出された施策が表示される。
【０１４７】
以上に説明したように、各拠点２の消費電力状況を示すグラフが表示部２２の画面に表示される。また、画面に表示されているプロットＰＬのうち自身の拠点２が指定されたか否か、および指定された拠点２の消費電力状況に基づいて、画面に表示する施策が異なる。これにより、拠点２の消費電力状況に応じた適切な施策を表示することができる。
【０１４８】
また、拠点２に在勤する管理者により指定されたプロットＰＬが自身の拠点２である場合には、自身の拠点２が未実施の施策が画面に表示される。そして、拠点２に在勤する管理者により指定されたプロットＰＬが自身の拠点２以外の他の拠点２のプロットＰＬである場合には、当該他の拠点２が実施している施策が画面に表示される。
【０１４９】
これにより、自身の拠点２が未実施の新たな消費電力を抑制する新たな施策を管理者に提示することができる。また、他の拠点２が指定された場合には、他の拠点２が実施している施策を管理者に提示できる。これにより、有効な施策を管理者に提示することができる。
【０１５０】
また、指定されたプロットＰＬが自身の拠点２である場合に、自身の拠点２の原単位が平均以下の場合には、施策の難易度が最も高い施策を画面に表示し、自身の拠点２の原単位が平均を超過している場合には、施策の難易度が最も低い施策を画面に表示している。
【０１５１】
自身の拠点２の原単位が平均以下の場合には、消費電力効率が良好であるため、難易度が高い施策を管理者に提示することで、さらなる消費電力抑制を図ることができる。また、自身の拠点２の原単位が平均を超過している場合には、消費電力効率が良好でない。このため、難易度が低い施策を管理者に提示することで、取り組み容易な省エネ施策を励行することができる。従って、自身の拠点２の消費電力状況に応じた適切な施策を表示することができる。
【０１５２】
以上において、表示部２２の画面に、情報取得要求を送信した拠点２と同じ属性を持つ拠点２の施策の実施状況および難易度に基づく施策を表示している例を説明したが、同じ属性を持つ拠点２には限定されない。
【０１５３】
ただし、属性が同じ拠点２の施策の実施状況および難易度に基づく施策を画面に表示することが好ましい。属性が異なると、消費電力抑制の施策も異なる。例えば、属性が拠点種別の場合、拠点種別が「オフィス」と「工場」とでは、消費電力抑制の施策も異なる。このため、抽出する施策の対象となる拠点２は、属性が同じ拠点２に絞ることで、より適切な施策を画面に表示することができる。
【０１５４】
また、施策難易度情報記憶部３８には、属性ごとに施策難易度情報が記憶される例を説明したが、施策難易度情報記憶部３８は、属性ごとに施策難易度情報を記憶しなくてもよい。この場合、図１０の施策難易度情報の「実施拠点数」は、「サーバ３が管理する全ての拠点２のうち省エネＩＤの施策を実施している拠点２の数／サーバ３が管理する全ての拠点２の全数」になる。
【０１５５】
このうち、「サーバ３が管理する全ての拠点２のうち省エネＩＤの施策を実施している拠点２の数」は、施策実施情報記憶部３７が記憶している施策実施情報を参照することで、情報処理部３２は認識できる。また、「サーバ３が管理する全ての拠点２の全数」は、拠点情報記憶部３３を参照することで、情報処理部３２は認識できる。
【０１５６】
そして、情報処理部３２は、情報取得要求を送信した拠点２と同じ属性を持つ「サーバ３が管理する全ての拠点２のうち省エネＩＤの施策を実施している拠点２の数」を認識する。また、情報処理部３２は、情報取得要求を送信した拠点２と同じ属性を持つ「サーバ３が管理する全ての拠点２の全数」を認識する。
【０１５７】
これにより、図１０の例で示した、「実施拠点数」を得ることができる。この「実施拠点数」は、情報取得要求を送信した拠点２と同じ属性を有する「実施拠点数」になる。この場合、施策難易度情報記憶部３８は、属性が絞り込まれていない１つの施策難易度情報を記憶する。
【０１５８】
また、上述したように、画面に表示されるグラフの横軸は、延床面積には限定されず、例えば人数や時間等であってもよい。従って、横軸の種類を選択可能にしてもよい。例えば、「延床面積」と「人数」と「時間」とのうち何れかを選択可能にしてもよい。また、縦軸の種類についても、「原単位」と「消費電力効率」と「消費電力量」とのうち何れかを選択可能にしてもよい。選択の態様としては、例えばプルダウンメニューを適用してもよい。
【０１５９】
画面制御部２７は、選択された横軸および縦軸の種類に応じて、画面に表示されるグラフの表示態様を変化させる。例えば、図１８の例では、縦軸に「原単位」が選択された場合のグラフが画面に表示される。また、図２０の例では、縦軸に「消費電力量」が選択された場合のグラフが画面に表示される。
【０１６０】
また、横軸に「延床面積」が選択された場合には、画面に表示されるグラフを拡大表示してもよい。上述したように、画面には自身の拠点２と同じ属性を持つ拠点２のプロットＰＬが表示される。同じ属性を持つ拠点２の延床面積にそれほど差がないときには、グラフを拡大表示することで、視認性が向上する。
【０１６１】
＜第１の具体例＞
次に、上述した６つのパターンのそれぞれの具体例について説明する。第１の具体例は、図１５のステップＳ２２で抽出された施策を表示する例を示している。図１２の例では、「Ｅ１」に相当する。
【０１６２】
第１の具体例では、１）自身の拠点が未実施の施策、かつ、２）難易度が「高い」施策が表示部２２の画面に表示される。上述したように、上記２つの条件のうち、１）については、自身の拠点２が既に実施している施策を表示したとしても、消費電力抑制を図る新たな施策を提示することができない。このため、当該施策は表示対象から除外される。
【０１６３】
図１５のステップＳ２２、Ｓ２４並びにＳ２５、および図１６のステップＳ２７、Ｓ２９並びにＳ３０で、１）の条件は全て共通している。図１２の例では、「Ｅ１」〜「Ｅ６」の全てに共通している条件である。従って、施策情報抽出部３９は、情報取得要求を送信した自身の拠点２が実施している施策については、抽出しない。
【０１６４】
第１の具体例は、図１５のステップＳ２２で抽出された施策を表示する例である。よって、ステップＳ２０の判定はＹＥＳであり、かつステップＳ２１の判定もＹＥＳである。ステップＳ２０の判定がＹＥＳということは、自身の拠点２の原単位が平均以下であるということである。
【０１６５】
つまり、自身の拠点２は、消費電力効率が良好であることを示す。当該拠点２に在勤する管理者の操作により、自身の拠点２のプロットＰＬが指定されたときには、消費電力効率が良好な自身の拠点２で、さらに取り組むことができる施策が抽出対象となる。
【０１６６】
従って、難易度の高い施策が抽出対象になる。図２１の例に示す表は、図９の施策実施情報に図１０の施策難易度情報の難易度を付加した表になる。図２１の第１の具体例では、自身の拠点２の拠点ＩＤは「Ｔ０００４」であるものとする。そして、図２１で示すように、マウスポインタＰは拠点ＩＤが「Ｔ０００４」のプロットＰＬを指定している。つまり、マウスポインタＰは自身の拠点２を指定している。
【０１６７】
図２１の例の表では、拠点ＩＤが「Ｔ０００４」の項目のうち、未実施の施策の省エネＩＤは「Ｓ００１」および「Ｓ００５」である。そして、「Ｓ００１」の難易度は「低」であり、「Ｓ００５」の難易度は「中」である。上述した２）の条件により、難易度の高い施策が抽出されるため、施策情報抽出部３９は、難易度が「中」の省エネＩＤ「Ｓ００５」を抽出する。
【０１６８】
このとき、施策情報抽出部３９は、省エネＩＤ「Ｓ００５」だけでなく、難易度が「低」の省エネＩＤ「Ｓ００１」も抽出してもよい。省エネＩＤ「Ｓ００１」の施策も自身の拠点２が実施していないため、施策情報抽出部３９は、省エネＩＤ「Ｓ００１」の施策も抽出してもよい。
【０１６９】
従って、サーバ３のサーバ通信部３１は、省エネＩＤ「Ｓ００１」および「Ｓ００５」の施策情報を含む応答情報を、情報取得要求を送信した自身の拠点２に送信する。ただし、サーバ３は、省エネＩＤ「Ｓ００１」の施策情報は送信しなくてもよい。
【０１７０】
情報取得要求を送信した拠点２に備えられる端末２１の端末通信部２５は応答情報を受信する。画面制御部２７は、難易度がより高い省エネＩＤ「Ｓ００５」の施策を表示部２２の画面に強調表示する。図２１の例では、「定時退社日の夜間の空調をＯＦＦにしてください」という施策が強調表示されている。
【０１７１】
自身の拠点２は、原単位が平均以下の拠点（つまり、消費電力効率が良好な拠点）である。従って、より難易度の高い「定時退社日の夜間の空調をＯＦＦにしてください」という施策を励行するために、画面に当該施策を強調表示する。
【０１７２】
また、省エネＩＤ「Ｓ００１」については、未実施であることを管理者に了知させるために、強調表示しない形式で画面に表示する。図２１の例では、省エネＩＤ「Ｓ００１」が示す「昼休みの照明の一斉消灯を行ってください」という施策を強調表示されない形式で表示する。
【０１７３】
従って、原単位が平均以下の拠点に対しては、より難易度の高い未実施の施策を画面に表示することで、自身の拠点２に応じた消費電力抑制の施策を表示部２２の画面に表示することができる。この施策を実施することにより、消費電力の抑制を図ることができる。
【０１７４】
＜第２の具体例＞
次に、第２の具体例について説明する。第２の具体例は、図１５のステップＳ２４で抽出された施策を表示する例を示している。図１２の例では、「Ｅ２」に相当する。第２の具体例では、１）自身の拠点が未実施であり、かつ、２）他の拠点が実施しており、かつ、３）難易度が低い、施策が表示部２２の画面に表示される。
【０１７５】
上述したように、１）の条件は表示対象から除外されている。第２の具体例は、図１５のステップＳ２４で抽出された施策を表示する例である。よって、ステップＳ２０の判定ＹＥＳであり、かつステップＳ２１の判定はＮＯであり、ステップＳ２３の判定はＹＥＳである。
【０１７６】
つまり、自身の拠点２は、原単位が平均以下であり、消費電力効率が良好であることを示す。また、当該拠点２に在勤する管理者の操作により、自身の拠点２以外の他の拠点２のプロットＰＬが指定されている。
【０１７７】
また、ステップＳ２３の判定はＹＥＳとなっている。従って、自身の拠点２だけでなく、指定されたプロットＰＬの拠点２についても、原単位が平均以下ある。従って、両者の拠点２は、消費電力効率が良好であることを示す。
【０１７８】
消費電力効率が良好な他の拠点２が指定された場合には、施策情報抽出部３９は、自身の拠点２が未実施であり、指定した他の拠点２が実施している施策のうち、難易度が低い施策を抽出する。図２２の例では、自身の拠点２の拠点ＩＤが「Ｔ０００４」であり、指定された拠点２の拠点ＩＤが「Ｔ０００１」の場合を示している。
【０１７９】
この場合、自身の拠点２が未実施であり、指定した拠点２が実施している施策の省エネＩＤは「Ｓ００１」および「Ｓ００５」になる。施策情報抽出部３９は、２つの省エネＩＤのうち難易度が低い施策を抽出する。従って、施策情報抽出部３９は、省エネＩＤが「Ｓ００１」の施策を抽出する。
【０１８０】
施策情報抽出部３９は、省エネＩＤが「Ｓ００５」の施策も抽出してもよい。ただし、優先順位は、省エネＩＤが「Ｓ００１」の施策の方が高い。これらの施策情報を含む応答情報が拠点２の端末２１に送信される。端末２１の画面制御部２７は、省エネＩＤが「Ｓ００１」の施策を強調して表示部２２の画面に表示する。
【０１８１】
図２２の例では、省エネＩＤが「Ｓ００１」の「昼休みの照明の一斉消灯を行っています」という施策が画面に強調表示されている。なお、省エネＩＤが「Ｓ００５」の「定時退社日の夜間の空調をＯＦＦにしています」という施策が画面に強調されない形式で表示されている。
【０１８２】
第２の具体例では、自身の拠点２の原単位だけでなく、他の拠点２の原単位も平均以下であるため、消費電力効率が高い拠点２同士を比較したときに、取り組みが容易な施策を画面に強調表示する。従って、自身の拠点２に応じた消費電力抑制を図る施策を画面に表示することができる。
【０１８３】
＜第３の具体例＞
次に、第３の具体例について説明する。第３の具体例は、図１５のステップＳ２５で抽出された施策を表示する例を示している。図１２の例では、「Ｅ３」に相当する。第３の具体例では、１）自身の拠点が未実施であり、かつ、２）他の拠点が実施しており、かつ、３）難易度が高い、施策が表示部２２の画面に表示される。
【０１８４】
上述したように、１）の条件は表示対象から除外されている。第３の具体例は、図１５のステップＳ２５で抽出された施策を表示する例である。よって、ステップＳ２０の判定ＹＥＳであり、かつステップＳ２１の判定はＮＯであり、ステップＳ２３の判定はＮＯである。
【０１８５】
つまり、自身の拠点２は、原単位が平均以下であり、消費電力効率が良好であることを示す。また、当該拠点２に在勤する管理者の操作により、自身の拠点２以外の拠点２のプロットＰＬが指定されている。また、ステップＳ２３の判定はＹＥＳとなっている。従って、指定した拠点２は原単位が平均を超過している。つまり、指定した拠点２は、消費電力が良好でないことを示す。
【０１８６】
消費電力効率が良好でない他の拠点２が指定された場合には、施策情報抽出部３９は、自身の拠点２が未実施であり、指定した他の拠点２が実施している施策のうち、難易度が高い施策を抽出する。図２３の例では、自身の拠点２の拠点ＩＤが「Ｔ０００４」であり、指定された拠点２の拠点ＩＤが「Ｔ０００２」の場合を示している。
【０１８７】
この場合、自身の拠点２が未実施であり、指定した拠点２が実施している施策の省エネＩＤは「Ｓ００１」になる。従って、施策情報抽出部３９は、省エネＩＤが「Ｓ００１」の施策を抽出する。なお、抽出対象の省エネＩＤが２つ以上ある場合には、難易度の高い施策を抽出する。これらの施策情報を含む応答情報が拠点２の端末２１に送信される。端末２１の画面制御部２７は、省エネＩＤが「Ｓ００１」の施策を強調して表示部２２の画面に表示する。
【０１８８】
図２３の例では、省エネＩＤが「Ｓ００１」の「昼休みの照明の一斉消灯を行っています」という施策が画面に強調表示されている。なお、他に抽出された施策があれば、強調されない形式で施策が画面に表示される。
【０１８９】
第３の具体例では、自身の拠点２の消費電力効率は良好であるが、指定した他の拠点２の消費電力効率は良好ではない。この場合、消費電力効率が良好でない他の拠点２が実施している施策は、消費電力効率が良好な自身の拠点２でも実施することは容易である。
【０１９０】
よって、省エネ施策に対する意識の高い自身の拠点２に、他の拠点２が実施している施策のうち難易度の高い施策を表示することで、自身の拠点２に適した施策を表示することができる。
【０１９１】
＜第４の具体例＞
次に、第４の具体例について説明する。第４の具体例は、図１６のステップＳ２７で抽出された施策を表示する例を示している。図１２の例では、「Ｅ４」に相当する。第４の具体例では、１）自身の拠点が未実施であり、かつ、２）難易度が低い、施策が表示部２２の画面に表示される。
【０１９２】
上述したように、１）の条件は表示対象から除外されている。第４の具体例では、図１５のステップＳ２０の判定はＮＯであり、図１６のステップＳ２６の判定はＹＥＳである。つまり、自身の拠点２の原単位は平均を超過しているため、自身の拠点２の消費電力効率は良好でない。
【０１９３】
また、ステップＳ２６の判定はＹＥＳとなっている。よって、拠点２に在勤する管理者は自身の拠点２のプロットＰＬを指定したことになる。この場合、施策情報抽出部３９は、拠点２が未実施の施策のうち難易度が低い施策を抽出する。
【０１９４】
図２４の例では、自身の拠点２の拠点ＩＤが「Ｔ０００２」の場合を示している。この場合、自身の拠点２が未実施の施策は、省エネＩＤが「Ｓ００２」、「Ｓ００３」および「Ｓ００５」の３つである。施策情報抽出部３９は、これら３つの施策のうち、難易度が最も低い施策を抽出する。
【０１９５】
図２４の例の場合、省エネＩＤが「Ｓ００２」が最も難易度が低い。従って、施策情報抽出部３９は、省エネＩＤが「Ｓ００２」を抽出する。このとき、施策情報抽出部３９は、省エネＩＤが「Ｓ００３」および「Ｓ００５」の施策も抽出してよい。ただし、優先順位が最も高い施策は、省エネＩＤが「Ｓ００２」の施策である。
【０１９６】
以上の施策情報を含む応答情報が、サーバ３から拠点２の端末２１に送信される。端末２１の端末通信部２５は応答情報を受信する。そして、画面制御部２７は、表示部２２の画面に省エネＩＤが「Ｓ００２」の施策を強調表示する。図２４の例に示すように、省エネＩＤが「Ｓ００２」の「夜間のプリンタ電源ＯＦＦを行って下さい」という施策が強調して表示部２２の画面に表示される。
【０１９７】
なお、省エネＩＤが「Ｓ００５」の「定時退社日の夜間の空調をＯＦＦにしてください」という施策、および省エネＩＤが「Ｓ００３」の「帰宅時にパソコン・ＬＣＤをＯＦＦにしてください」という施策は、強調されない形式で画面に表示される。
【０１９８】
第４の具体例では、自身の拠点２の原単位が平均を超過しており、消費電力効率が良好でない。従って、画面制御部２７は、取り組みやすい施策、つまり難易度の低い施策を画面に強調表示することで、自身の拠点２に応じた消費電力抑制を図る施策を画面に表示することができる。
【０１９９】
＜第５の具体例＞
次に、第５の具体例について説明する。第５の具体例は、図１６のステップＳ２９で抽出された施策を表示する例を示している。図１２の例では、「Ｅ５」に相当する。第５の具体例では、１）自身の拠点が未実施であり、かつ、２）他の拠点が実施しており、かつ、３）難易度が高い、施策が表示部２２の画面に表示される。
【０２００】
上述したように、１）の条件は表示対象から除外されている。第５の具体例は、図１６のステップＳ２９で抽出された施策を表示する例である。よって、ステップＳ２０の判定はＮＯであり、かつステップＳ２６の判定はＮＯであり、ステップＳ２８の判定はＹＥＳである。
【０２０１】
つまり、自身の拠点２は、消費電力効率が良好ではないことを示している。また、当該拠点２に在勤する管理者の操作により、自身の拠点２以外の拠点２のプロットＰＬが指定されている。
【０２０２】
また、ステップＳ２８の判定はＹＥＳとなっている。従って、指定した拠点２の原単位は平均以下である。つまり、指定した拠点２は、消費電力効率が良好であることを示している。
【０２０３】
消費電力効率が良好な他の拠点２が指定された場合には、施策情報抽出部３９は、自身の拠点２が未実施であり、指定した他の拠点２が実施している施策のうち、難易度が高い施策を抽出する。図２５の例では、自身の拠点２の拠点ＩＤが「Ｔ０００２」であり、指定された拠点２の拠点ＩＤが「Ｔ０００４」の場合を示している。
【０２０４】
この場合、自身の拠点２が未実施であり、指定した拠点２が実施している施策の省エネＩＤは「Ｓ００２」および「Ｓ００３」になる。そして、施策情報抽出部３９は、難易度が最も高い省エネＩＤが「Ｓ００３」の施策を抽出する。
【０２０５】
なお、施策情報抽出部３９は、省エネＩＤが「Ｓ００２」の施策を抽出してもよい。ただし、優先順位は、省エネＩＤが「Ｓ００３」の施策の方が高い。これらの施策情報を含む応答情報が拠点２の端末２１に送信される。端末２１の画面制御部２７は、省エネＩＤが「Ｓ００３」の施策を強調して表示部２２の画面に表示する。
【０２０６】
図２５の例では、省エネＩＤが「Ｓ００３」の「帰宅時にパソコン・ＬＣＤをＯＦＦにしています」という施策が画面に強調表示されている。なお、省エネＩＤが「Ｓ００２」の「夜間のプリンタ電源ＯＦＦを行っています」という施策が強調されない形式で画面に表示される。
【０２０７】
第５の具体例では、自身の拠点２の消費電力効率は良好でないが、指定した他の拠点２の消費電力効率は良好である。この場合、敢えて難易度の高い施策を画面に表示することで、消費電力効率が良好でない自身の拠点２に消費電力抑制の高い意識を励行する。これにより、自身の拠点２に適した施策を表示することができる。
【０２０８】
＜第６の具体例＞
次に、第６の具体例について説明する。第６の具体例は、図１６のステップＳ３０で抽出された施策を表示する例を示している。図１２の例では、「Ｅ６」に相当する。第６の具体例では、１）自身の拠点が未実施であり、かつ、２）他の拠点が実施しており、かつ、３）難易度が低い、施策が表示部２２の画面に表示される。
【０２０９】
上述したように、１）の条件は表示対象から除外されている。第６の具体例は、図１６のステップＳ３０で抽出された施策を表示する例である。よって、ステップＳ２０の判定はＮＯであり、かつステップＳ２６の判定はＮＯであり、ステップＳ２８の判定はＮＯである。
【０２１０】
つまり、自身の拠点２は、消費電力効率が良好ではないことを示している。また、当該拠点２に在勤する管理者の操作により、自身の拠点２以外の拠点２のプロットＰＬが指定されている。
【０２１１】
また、ステップＳ２８の判定はＮＯとなっている。従って、指定した拠点２の原単位は平均を超過している。つまり、指定した拠点２は、消費電力効率が良好でないことを示している。
【０２１２】
消費電力効率が良好でない他の拠点２が指定された場合には、施策情報抽出部３９は、自身の拠点２が未実施であり、指定した他の拠点２が実施している施策のうち、難易度が最も低い施策を抽出する。図２６の例では、自身の拠点２の拠点ＩＤが「Ｔ０００２」であり、指定された拠点２の拠点ＩＤが「Ｔ０００６」の場合を示している。
【０２１３】
この場合、自身の拠点２が未実施であり、指定した拠点２が実施している施策の省エネＩＤは「Ｓ００２」および「Ｓ００５」になる。そして、施策情報抽出部３９は、難易度が低い省エネＩＤ「Ｓ００２」の施策を抽出する。
【０２１４】
なお、施策情報抽出部３９は、省エネＩＤが「Ｓ００５」の施策を抽出してもよい。ただし、優先順位は、省エネＩＤが「Ｓ００２」の施策の方が高い。これらの施策情報を含む応答情報が拠点２の端末２１に送信される。端末２１の画面制御部２７は、省エネＩＤが「Ｓ００２」の施策を強調して表示部２２の画面に表示する。
【０２１５】
図２６の例では、省エネＩＤが「Ｓ００２」の「夜間のプリンタ電源ＯＦＦを行っています」という施策が画面に強調表示されている。なお、省エネＩＤが「Ｓ００５」の「定時退社日の夜間の空調をＯＦＦにしています」という施策が強調されない形式で画面に表示される。
【０２１６】
第６の具体例では、自身の拠点２の消費電力効率は良好でなく、指定した他の拠点２の消費電力効率も良好ではない。この場合、実施することが容易な難易度の低い施策を強調表示する。これにより、自身の拠点２に適した施策を表示することができる。
【０２１７】
＜施策表示装置のハードウェア構成の一例＞
次に、施策表示装置１０のハードウェア構成の一例について説明する。図２７の一例に示すように、施策表示装置１０は、バス５０に対して、プロセッサ５１とＲＡＭ(Random Access Memory)５２とＲＯＭ(Read Only Memory)５３と補助記憶装置５４と周辺機器接続部５５と通信インタフェース５６と可搬型記憶装置接続部５７とが接続されている。
【０２１８】
プロセッサ５１はＣＰＵ（Central Processing Unit)のような任意の処理回路である。プロセッサ５１はＲＡＭ５２に展開されたプログラムを実行する。実行されるプログラムとしては、実施形態の処理を実現する施策表示プログラムを適用することができる。ＲＯＭ５３はＲＡＭ５２に展開されるプログラムを記憶する不揮発性の記憶装置である。
【０２１９】
補助記憶装置５４は、種々の情報を記憶する記憶装置であり、例えばハードディスクドライブや半導体メモリ等を補助記憶装置５４に適用することができる。周辺機器接続部５５は、ディスプレイ５８および入力デバイス５９を接続する。
【０２２０】
通信インタフェース５６は、外部との通信を行うときのインタフェースである。可搬型記憶装置接続部５７は、可搬型記憶装置５７Ａと接続可能に設けられている。可搬型記憶装置５７Ａとしては、可搬型のメモリや光学式ディスク（例えば、ＣＤ（Compact Disk)やＤＶＤ（Digital Video Disk)等）を適用することができる。実施形態の処理を行う施策表示プログラムは、コンピュータ読み取り可能な記録媒体に記録されていてもよい。この場合、記録媒体に可搬型記憶装置５７Ａを適用することができる。
【０２２１】
ＲＡＭ５２、ＲＯＭ５３および補助記憶装置５４は、何れもコンピュータ読み取り可能な有形の記憶媒体の一例である。これらの有形な記憶媒体は、信号搬送波のような一時的な媒体ではない。
【０２２２】
図３で一例として示した施策表示装置１０のうち、端末通信部２５は通信インタフェース５６により実現されてもよい。入力部２３は入力デバイス５９により実現されてもよい。表示部２２はディスプレイ５８により実現されてもよい。認証部２４、プロット作成部２６、画面制御部２７および属性認識部２８は、例えばプロセッサ５１で実行されるプログラムにより実現されてもよい。
【０２２３】
＜サーバのハードウェア構成の一例＞
次に、サーバ３のハードウェア構成の一例について説明する。図２８の一例に示すように、サーバ３は、バス６０に対して、プロセッサ６１とＲＡＭ(Random Access Memory)６２とＲＯＭ(Read Only Memory)６３と補助記憶装置６４と周辺機器接続部６５と通信インタフェース６６と可搬型記憶装置接続部６７とが接続されている。
【０２２４】
プロセッサ６１はＣＰＵ（Central Processing Unit)のような任意の処理回路である。プロセッサ６１はＲＡＭ６２に展開されたプログラムを実行する。実行されるプログラムとしては、実施形態の処理を実現するプログラムを適用することができる。ＲＯＭ６３はＲＡＭ６２に展開されるプログラムを記憶する不揮発性の記憶装置である。
【０２２５】
補助記憶装置６４は、種々の情報を記憶する記憶装置であり、例えばハードディスクドライブや半導体メモリ等を補助記憶装置６４に適用することができる。周辺機器接続部６５は、ディスプレイ６８および入力デバイス６９を接続する。
【０２２６】
通信インタフェース６６は、外部との通信を行うときのインタフェースである。可搬型記憶装置接続部６７は、可搬型記憶装置６７Ａと接続可能に設けられている。可搬型記憶装置６７Ａとしては、可搬型のメモリや光学式ディスク（例えば、ＣＤ（Compact Disk)やＤＶＤ（Digital Video Disk)等）を適用することができる。実施形態の処理を行うプログラムは、コンピュータ読み取り可能な記録媒体に記録されていてもよい。この場合、記録媒体に可搬型記憶装置６７Ａを適用することができる。
【０２２７】
ＲＡＭ６２、ＲＯＭ６３および補助記憶装置６４は、何れもコンピュータ読み取り可能な有形の記憶媒体の一例である。これらの有形な記憶媒体は、信号搬送波のような一時的な媒体ではない。
【０２２８】
図３で一例として示したサーバ３のうち、サーバ通信部３１は通信インタフェース６６により実現されてもよい。拠点情報記憶部３３、全拠点電力情報記憶部３４、拠点別電力情報記憶部３５、管理者情報記憶部３６、施策実施情報記憶部３７および施策難易度情報記憶部３８は、補助記憶装置６４に記憶されてもよい。情報処理部３２および施策情報抽出部３９は、例えばプロセッサ６１で実行されるプログラムにより実現されてもよい。
【０２２９】
開示の実施形態とその利点について詳しく説明したが、当業者は、特許請求の範囲に明確に記載した本発明の範囲から逸脱することなく、様々な変更、追加、省略をすることができるであろう。
【０２３０】
以上の実施形態に関し、更に以下の付記を開示する。
（付記１）
複数の拠点の消費電力状況を示すグラフに前記複数の拠点をそれぞれ特定する複数のシンボルを画面に表示し、
前記複数のシンボルのうち、指定されたシンボルで特定された拠点が自身の拠点であるか否か、および前記指定されたシンボルで特定された拠点の消費電力状況に基づいて、前記画面に表示する消費電力抑制の施策の内容を異ならせる、
施策表示方法。
（付記２）
前記指定されたシンボルで特定された拠点が前記自身の拠点であるときには、前記自身の拠点が未実施の施策を前記画面に表示し、前記指定されたプロットが前記自身の拠点以外の他の拠点であるときには、前記他の拠点が実施している施策を前記画面に表示する、
付記１記載の施策表示方法。
（付記３）
前記指定されたシンボルで特定された拠点が前記自身の拠点であるときに、前記自身の拠点の原単位が平均以下の場合には、難易度が最も高い施策を前記画面に表示し、前記自身の拠点の原単位が平均を超過している場合には、難易度が最も低い施策を前記画面に表示する、
付記２記載の施策表示方法。
（付記４）
前記指定されたシンボルで特定された拠点が前記他の拠点であるときに、前記他の拠点の原単位が平均以下であり、且つ前記自身の拠点の原単位が平均以下であるとき、または前記他の拠点の原単位が平均を超過しており、且つ前記自身の拠点の原単位が平均を超過しているときには、前記自身の拠点が未実施で、かつ、前記他の拠点が実施している施策のうち、難易度が最も低い施策を画面に表示し、
前記指定されたシンボルで特定された拠点が前記他の拠点であるときに、前記他の拠点の原単位が平均以下であり、且つ前記自身の拠点の原単位が平均を超過しているとき、または前記他の拠点の原単位が平均を超過しており、且つ前記自身の拠点の原単位が平均以下のときには、前記自身の拠点が未実施で、かつ、前記他の拠点が実施している施策のうち、難易度が最も高い施策を画面に表示する、
付記２記載の施策表示方法。
（付記５）
前記画面に表示される前記シンボルは前記自身の拠点と同じ属性を持つ拠点のシンボルである、
付記１記載の施策表示方法。
（付記６）
前記画面に表示される前記シンボルのうち、前記自身の拠点のシンボルを前記自身の拠点以外の拠点のシンボルと異なる態様で表示する、
付記１記載の施策表示方法。
（付記７）
前記難易度は複数段階でレベル分けされている、
付記１記載の施策表示方法。
（付記８）
前記属性は複数の属性の中から選択可能である、
付記１記載の施策表示方法。
（付記９）
前記グラフの横軸および縦軸の種類は複数の種類の中から選択可能である、
付記１記載の施策表示方法。
（付記１０）
前記横軸に延床面積が指定されたときに、前記グラフを拡大表示する、
付記９記載の施策表示方法。
（付記１１）
複数の拠点の消費電力状況を示すグラフに前記複数の拠点をそれぞれ特定する複数のシンボルを画面に表示し、
前記複数のシンボルのうち、指定されたシンボルで特定された拠点が自身の拠点であるか否か、および前記指定されたシンボルで特定された拠点の消費電力状況に基づいて、前記画面に表示する消費電力抑制の施策の内容を異ならせる、
処理をコンピュータに実行させる施策表示プログラム。
（付記１２）
複数の拠点の消費電力状況を示すグラフに表示する前記複数の拠点をそれぞれ特定する複数のシンボルを作成する作成部と、
前記複数のシンボルのうち、指定されたシンボルで特定された拠点が自身の拠点であるか否か、および前記指定されたシンボルで特定された拠点の消費電力状況に基づいて、表示部の画面に表示する消費電力抑制の施策の内容を異ならせる制御を行う制御部と、
を備える施策表示装置。
（付記１３）
複数の拠点の消費電力状況を示すグラフに表示する前記複数の拠点をそれぞれ特定する複数のシンボルを作成する作成部、を備えるクライアントと、
前記クライアントから受信した指定されたシンボルで特定された拠点の情報に基づいて、前記指定されたシンボルで特定された拠点が自身の拠点であるか否か、および前記指定されたシンボルで特定された拠点の消費電力状況に基づいて、消費電力抑制の施策を抽出する抽出部、を備えるサーバと、
を備え、
前記クライアントは、
前記抽出部が抽出した前記施策を表示部の画面に表示する制御部、
を備える施策表示システム。
【符号の説明】
【０２３１】
１      施策表示ステム
２      拠点
３      サーバ
４      ネットワーク
１０    施策表示装置
１５    電力監視装置
２１    端末
２２    表示部
２５    端末通信部
２６    プロット作成部
２７    画面制御部
２８    属性認識部
３１    サーバ通信部
３２    情報処理部
３３    拠点情報記憶部
３４    全拠点電力情報記憶部
３５    拠点別電力情報記憶部
３６    管理者情報記憶部
３７    施策実施情報記憶部
３８    施策難易度情報記憶部
３９    施策情報抽出部
５１    プロセッサ
５２    ＲＡＭ
５３    ＲＯＭ
【図１】
2015176368.tif 000003
【図２】
2015176368.tif 000004
【図３】
2015176368.tif 000005
【図４】
2015176368.tif 000006
【図５】
2015176368.tif 000007
【図６】
2015176368.tif 000008
【図７】
2015176368.tif 000009
【図８】
2015176368.tif 000010
【図９】
2015176368.tif 000011
【図１０】
2015176368.tif 000012
【図１１】
2015176368.tif 000013
【図１２】
2015176368.tif 000014
【図１３】
2015176368.tif 000015
【図１４】
2015176368.tif 000016
【図１５】
2015176368.tif 000017
【図１６】
2015176368.tif 000018
【図１７】
2015176368.tif 000019
【図１８】
2015176368.tif 000020
【図１９】
2015176368.tif 000021
【図２０】
2015176368.tif 000022
【図２１】
2015176368.tif 000023
【図２２】
2015176368.tif 000024
【図２３】
2015176368.tif 000025
【図２４】
2015176368.tif 000026
【図２５】
2015176368.tif 000027
【図２６】
2015176368.tif 000028
【図２７】
2015176368.tif 000029
【図２８】
2015176368.tif 000030